(57)【要約】      （修正有）【課題】小型化およびパチンコ玉のたれ流しを防止できる紙幣識別装置を提供する。【解決手段】紙幣識別部５２と、パチンコ玉１６を計数する球体計数装置１０と、該球体計数装置に作用してパチンコ玉の流下を阻止する緊急停止部と、制御部とを具備する紙幣識別装置であって、球体計数装置は、通路１２から供給されるパチンコ玉を順次受け入れて放出路に放出する分離ホイール２５を有し、緊急停止部は、通路内のパチンコ玉の流れを検出するパチンコ玉検出部と、分離ホイールの回転を直接もしくは間接的に停止させる緊急停止部材とを具備する。【選択図】図７
2011212400.tif 000002
【特許請求の範囲】
【請求項１】
筐体内に、紙幣識別部と、パチンコ玉を計数する球体計数部と、該球体計数部に作用してパチンコ玉の流下を阻止する緊急停止部と、制御部とを具備する紙幣識別装置であって、
前記紙幣識別部は、
紙幣挿入口に挿入された紙幣を紙幣排出口に向かって搬送する搬送機構と、該搬送機構により搬送される紙幣の真贋を識別するセンサ部を備えた識別部とを具備し、
前記球体計数部は、
パチンコ玉を連続して重力により自然落下させる通路と、外周に、突出部、およびパチンコ玉を１つずつ受け入れる凹部が交互に複数形成され、回転軸を中心に回転することにより前記凹部が順次通路内に臨み、通路から供給されるパチンコ玉を順次受け入れて放出路に放出する分離ホイールと、該放出路に放出されるパチンコ玉数を算出する計数部と、前記分離ホイールもしくは分離ホイールに関連する部材に係止し、分離ホイールの回転を停止させる係止部材と、該係止部材を駆動して、前記分離ホイールの回転を停止もしくは回転可能とする駆動部と、前記計数部により所定数のパチンコ玉が計数されたら前記係止部材により前記分離ホイールの回転を停止するように前記駆動部を制御する前記制御部とを具備し、
前記緊急停止部は、
前記通路内のパチンコ玉の流れを検出するパチンコ玉検出部と、前記係止部材とは別に、前記分離ホイールの回転を直接もしくは間接的に停止させる緊急停止部材とを具備し、
前記制御部は、前記分離ホイールの回転を停止するように前記駆動部に指令したにも係わらず、前記パチンコ玉検出部がパチンコ玉の流下を検出するとき、前記球体計数部が故障したと判定し、前記緊急停止部により、前記分離ホイールの回転を停止することを特徴とする球体計数装置を内蔵した紙幣識別装置。
【請求項２】
前記紙幣識別部は、前記紙幣搬送機構を駆動する駆動モータを有し、
前記緊急停止部における前記緊急停止部材は、前記駆動モータによって回転される回転軸上に配置され、駆動モータが紙幣搬送方向である正方向に回転するとき、該回転軸上で空転し、駆動モータが逆方向に回転されるとき、該回転軸と共に回転して、前記分離ホイールの回転を停止させるとともに、該分離ホイールの停止位置で空転するように構成され、
前記制御部は、前記球体計数部が故障したと判定した場合、前記駆動モータを逆方向に回転させることを特徴とする請求項１記載の球体計数装置を内蔵した紙幣識別装置。
【請求項３】
前記紙幣識別部における紙幣搬送機構は、
紙幣挿入口側と紙幣排出側のそれぞれにプーリが設けられ、該プーリのいずれか一方のプーリが、駆動モータからの動力を伝える駆動軸に挿着された駆動プーリであり、他方のプーリは従動軸に挿着された従動プーリであり、該駆動プーリと該従動プーリには無端ベルトが張設され、前記各プーリに対向する位置には前記プーリに向かって付勢された押圧ローラがあり、前記無端ベルトと前記押圧ローラに狭持され紙幣を搬送するように構成されており、
前記緊急停止部は、
前記紙幣搬送機構における駆動軸上または従動軸上に、軸方向に移動可能、かつ軸上で回動可能に設けられ、付勢部材に付勢されて前記駆動プーリまたは従動プーリの端面に押圧される前記緊急停止部材を有し、
該緊急停止部材は、前記駆動モータが紙幣を紙幣挿入口から紙幣排出口へ搬送する正方向に回転するとき、駆動プーリまたは従動プーリの端面との間の摩擦力により、前記分離ホイールの回転を停止させない方向に回転するとともに、所定の退避位置で駆動プーリまたは従動プーリに対して空転するように設けられ、
前記制御部は、前記分離ホイールの回転を停止するように前記駆動部に指令したにも係わらず、前記パチンコ玉検出部がパチンコ玉の流下を検出して、前記球体計数部が故障したと判定した場合、前記駆動モータを逆方向に回転させ、これにより前記緊急停止部材は、前記駆動プーリまたは従動プーリの端面との間の摩擦力によって回転し、該緊急停止部材の回転により、前記分離ホイールの回転が停止されることを特徴とする請求項２記載の球体計数装置を内蔵した紙幣識別装置。
【請求項４】
前記制御部は、前記駆動モータを逆転させた際は、駆動モータを正方向に回転させて緊急停止部材を待機位置に復帰させて、該状態を待機状態とすることを特徴とする請求項２または３記載の球体計数装置を内蔵した紙幣識別装置。
【請求項５】
前記分離ホイールの表面に係止部が設けられ、前記緊急停止部材が該係止部に係止することによって分離ホイールの回転を停止することを特徴とする請求項１〜４いずれか１項記載の球体計数装置を内蔵した紙幣識別装置。
【請求項６】
前記緊急停止部材に指標が設けられ、緊急停止部材が分離ホイールの回転を停止する位置にあるときに、前記指標を外部から視認できることを特徴とする請求項２〜５いずれか１項記載の球体計数装置を内蔵した紙幣識別装置。
【請求項７】
前記分離ホイールの回転を停止する位置にある緊急停止部材を、分離ホイールを回転可能な位置に強制移動させる復帰手段を有することを特徴とする請求項２〜６いずれか１項記載の球体計数装置を内蔵した紙幣識別装置。
【請求項８】
前記紙幣識別部は、その紙幣搬送機構が前記球体計数部の前記分離ホイール上に、分離ホイールの回転面と平行状態で重なるように配置されていることを特徴とする請求項１〜７いずれか１項記載の球体計数装置を内蔵した紙幣識別装置。
【請求項９】
前記通路は、
前記分離ホイールの直前で分離ホイールに向けて斜め下方に曲折され、前記凹部に球体を送り込むにあたり、球体の重心の軌跡が、該軌跡と平行な分離ホイールの下側の接線よりも上方となり、かつ球体の重力により前記分離ホイールを下方に向けて回転させる方向を向く進入路と、
該進入路から前記分離ホイールの凹部に送り込まれた球体を分離ホイールが回転することにより進入路から前記放出路に向けて通過させる連通路とを具備することを特徴とする請求項１〜８いずれか１項記載の球体計数装置を内蔵した紙幣識別装置。
【請求項１０】
前記進入路を移動する球体の重心の軌跡が、前記分離ホイールの回転軸の軸心に一致する方向を向くか、もしくは回転軸の下方を通るように、前記進入路の前記分離ホイールに向く方向が設定されていることを特徴とする請求項９記載の球体計数装置を内蔵した紙幣識別装置。
【請求項１１】
前記進入路の水平面からの傾斜角度が５〜４５°であることを特徴とする請求項９または１０記載の球体計数装置を内蔵した紙幣識別装置。
【請求項１２】
前記通路は、前記進入路の直近上流側に、進入路とは逆方向の斜め下方に曲折する屈曲路を有することを特徴とする請求項９〜１１いずれか１項記載の球体計数装置を内蔵した紙幣識別装置。
【請求項１３】
前記放出路は、球体を鉛直方向ではない斜め下方に放出する放出路に形成されていることを特徴とする請求項９〜１２いずれか１項記載の球体計数装置を内蔵した紙幣識別装置。
【請求項１４】
前記制御部は、前記紙幣識別部の動作中は、前記球体計数部の動作を禁止することを特徴とする請求項１〜１３いずれか１項記載の球体計数装置を内蔵した紙幣識別装置。
【発明の詳細な説明】
【技術分野】
【０００１】
本発明は同一筐体に球体計数装置を内蔵する紙幣識別装置に関し、詳細には動力によらずパチンコ玉の重力を利用してパチンコ玉を計数する球体計数装置を、紙幣識別装置の同一筐体中に組込んで、小型化を図るとともに、球体計数装置の計数係止部の故障により、いわゆるパチンコ玉のたれ流し状態となったときの緊急停止機構を備えた、球体計数装置を内蔵した紙幣識別装置に関する。
【背景技術】
【０００２】
パチンコ遊技機でゲームを行うにあたり、各遊技機の間に球体計数装置を備えた台間玉貸機が設置されている。台間玉貸機内には球体計数装置(台間玉貸機上部のパチンコ玉貯留槽から、玉貸機内部を通り遊技機のパチンコ玉貯留皿まで連通する通路を含む)のほかに、紙幣識別装置、ICカードリーダライタ、制御部等が設置されており、内部空間を余すところなく詰め込まれている。そして、従来は単独の機能を持つ前記各種装置や機器等がそれぞれのポジションに設置されているのが一般的である。
計数装置については、特開平10-277249のように、計数機構にモータを使用するものが多く利用されている。また、特開平3-112581のような、モータ等の動力源によらない装置も数多く提案されている。
【０００３】
しかしながら、従来技術による球体計数装置は、駆動部の外径が小型化できないことや、連なってほぼ垂直に落下してくるパチンコ玉の重量や衝撃に耐える強度を必要とするためいずれも大型であり、厚み方向の縮小に限度があった。一方遊技場においては、フロア面積に対してより多くの遊技機を設置したいこと等の要求から、遊技機間隔を狭くするため、各遊技機間に設置される台間玉貸機は現在の極限とする薄型に構成しており、従来技術による  球体計数装置では、台間玉貸機の内部厚さ空間をほぼ専有することとなり、紙幣識別装置の内部にとうてい納まる厚さではなかった。特開2005-218739のように、紙幣識別装置と同一の筐体内にパチンコ玉計数部を設けた装置も提案されているが、前記厚みの制約から、紙幣搬送路を計数部で、通常搬送系と対向する位置に別体として設け、２つの搬送路間で紙幣を引継という機能を追加せざるを得なかった。
【０００４】
そこで、発明者は鋭意検討を重ねた結果、動力を使用しない重力式の球体計数装置を開発し、特許出願した（特願２０１０−３３６３）。
この重力式の球体計数装置は、前述したような、連なってほぼ垂直に落下してくるパチンコ玉の重量や衝撃をほとんど解消することにより、球体計数装置の機構を構成する部品の薄型化が実現し、主要機構部の厚さをほぼパチンコ玉の外径（約１１ｍｍ）と同じ範囲に収めることが可能となり、紙幣識別装置の厚さの半分以下〜３分の１近い厚さになった。このことにより、従来型の紙幣識別装置の主要機構を変更することなく、同一筐体内に収めることに成功した。
【先行技術文献】
【特許文献】
【０００５】
【特許文献１】特開平１０−２７７２４９号公報
【特許文献２】特開平３−１１２５８１号公報
【特許文献３】特開２００５−２１８７３９号公報
【発明の概要】
【発明が解決しようとする課題】
【０００６】
しかしながら、動力を使わない、パチンコ玉の重力のみにより、計数機構の回転力を得て、回転部を係止することで計数を停止させるという方式においては、駆動モータ等の抵抗となる部材が無いことから、前記回転部を係止させて計数を停止させる係止機構が故障した場合、パチンコ玉のたれ流し状態となってしまうという課題があった。
このような、いわゆるパチンコ玉のたれ流し状態となったとき、遊技者の申告により遊技店の係員が駆けつけ装置を開けて対応するまでの間、たれ流し状態を放置することとなり、対応が遅れると店内の通路にパチンコ玉が溢れることとなり、危険が生ずるとともに、出玉処理においては何個まで客に所有権があり、何個目からが故障によるものか検証が難しく、コンピュータで解析して検証するに時間がかかり過ぎる等の問題があり、迅速に対応するには、すべてを客に提供し遊技店側の損失として処理することになる。
【０００７】
そこで本発明は上記課題を解決すべくなされたものであり、その目的とするところは、動力によらずパチンコ玉の重力を利用してパチンコ玉を計数する球体計数装置を、紙幣識別装置の同一筐体中に組込んで、小型化を図るとともに、球体計数装置の計数係止部の故障により、いわゆるパチンコ玉のたれ流し状態となったときの緊急停止機構を備えた、球体計数装置を内蔵した紙幣識別装置を提供するにある。
【課題を解決するための手段】
【０００８】
本発明に係る球体計数装置を内蔵した紙幣識別装置は、筐体内に、紙幣識別部と、パチンコ玉を計数する球体計数部と、該球体計数部に作用してパチンコ玉の流下を阻止する緊急停止部と、制御部とを具備する紙幣識別装置であって、前記紙幣識別部は、紙幣挿入口に挿入された紙幣を紙幣排出口に向かって搬送する搬送機構と、該搬送機構により搬送される紙幣の真贋を識別するセンサ部を備えた識別部とを具備し、前記球体計数部は、パチンコ玉を連続して重力により自然落下させる通路と、外周に、突出部、およびパチンコ玉を１つずつ受け入れる凹部が交互に複数形成され、回転軸を中心に回転することにより前記凹部が順次通路内に臨み、通路から供給されるパチンコ玉を順次受け入れて放出路に放出する分離ホイールと、該放出路に放出されるパチンコ玉数を算出する計数部と、前記分離ホイールもしくは分離ホイールに関連する部材に係止し、分離ホイールの回転を停止させる係止部材と、該係止部材を駆動して、前記分離ホイールの回転を停止もしくは回転可能とする駆動部と、前記計数部により所定数のパチンコ玉が計数されたら前記係止部材により前記分離ホイールの回転を停止するように前記駆動部を制御する前記制御部とを具備し、前記緊急停止部は、前記通路内のパチンコ玉の流れを検出するパチンコ玉検出部と、前記係止部材とは別に、前記分離ホイールの回転を直接もしくは間接的に停止させる緊急停止部材とを具備し、前記制御部は、前記分離ホイールの回転を停止するように前記駆動部に指令したにも係わらず、前記パチンコ玉検出部がパチンコ玉の流下を検出するとき、前記球体計数部が故障したと判定し、前記緊急停止部により、前記分離ホイールの回転を停止することを特徴とする。
【発明の効果】
【０００９】
本発明によれば、球体計数装置を、動力によらずパチンコ玉の重力を利用してパチンコ玉の計数をするようにしたので、球体計数装置の薄型化が図れ、紙幣識別装置の同一筐体中に組込むことができて、紙幣識別装置全体の小型化が図れるとともに、一方では、重力式の球体計数装置が故障した場合に、パチンコ玉がたれ流し状態になりやすいが、パチンコ玉のたれ流しを強制的に停止する緊急停止部を設けたので、その不具合を解消できる。
【図面の簡単な説明】
【００１０】
【図１】紙幣識別装置の全体の概要を示す側面図である。
【図２】紙幣識別装置の正面図である。
【図３】計数部の平面図である。
【図４】計数部の側面図である。
【図５】紙幣識別部の平面図である。
【図６】紙幣識別部と計数部の配置関係を示す平面図である。
【図７】紙幣識別部と計数部の配置関係を示す側面図である。
【図８】紙幣識別部と計数部の配置関係を示す正面図である。
【図９】球体計数部の要部の説明図である。
【図１０】分離ホイールが係止部を兼ねる場合の説明図である。
【図１１】緊急停止部の説明図である。
【図１２】紙幣識別装置の側面図である。
【図１３】緊急停止部材の指標確認機構を示す説明図である。
【図１４】指標が確認窓に対応位置している状態を示す説明図である。
【図１５】指標が確認窓から外れた位置にある状態を示す説明図である。
【図１６】分離ホイールに設けた係止部の種々の例を示す説明図である。
【図１７】緊急停止部の他の実施の形態を示す説明図である。
【図１８】緊急停止部のまたさらに他の実施の形態を示す説明図である。
【図１９】緊急停止部のさらに他の実施の形態を示す平面図である。
【図２０】図１９の緊急停止部の側面図である。
【図２１】緊急停止部のまたさらに他の実施の形態を示す説明図である。
【図２２】緊急停止部のさらに他の実施の形態を示す説明図である。
【図２３】ピンを用いて手動でパチンコ玉の異常流下を停止する実施の形態を示す説明図である。
【図２４】ピンを用いて手動でパチンコ玉の異常流下を停止するさらに他の実施の形態を示す説明図である。
【発明を実施するための形態】
【００１１】
以下本発明の好適な実施の形態を詳細に説明する。
図１は球体計数装置を内蔵した紙幣識別装置（以下単に紙幣識別装置という）５０の側面図（カバーを取り去っている）であり、図２は正面図である。
紙幣識別装置５０は、隣接するパチンコ台（図示せず）の間に配置されるものであり、玉貸し機を兼ねるものである。
紙幣識別装置５０は、筐体５１内に、紙幣識別部５２と、パチンコ玉を計数する球体計数部（計数装置）１０と、該球体計数部１０に作用してパチンコ玉の流下を阻止する緊急停止部（図１１）５４とを具備する。
その他、紙幣識別装置５０は、制御部５６、カードリーダライタ５８、カード回収部６０等を、筐体５１内に備える。
また、６１は紙幣挿入口、６２はカード挿入口、６３は玉ノズルである。玉ノズル６３からは、パチンコ台の受け皿にパチンコ玉が供給される。
【００１２】
図３は、球体計数部１０の要部を示す平面図、図４は側面図である。球体計数部１０の詳細については後記する。
図５は、紙幣識別部５２の要部を示す平面図である。
図６〜図８は、紙幣識別部５２と球体計数部１０との配置関係を示す、それぞれ平面図、側面図、正面図である。これらの図面では、図面をわかりやすくするために、緊急停止部５４の図示は省略している。
後記するように、本実施の形態では、球体計数部１０の厚さをほとんどパチンコ玉の直径と同程度まで薄くできる。これにより、紙幣識別部５２と球体計数部１０とを、図６や図７に示すように、一部が重なった状態で配置でき、これにより紙幣識別装置５０の小型化ができるようになっている。
【００１３】
まず、紙幣識別部５２について簡単に説明する。
紙幣識別部５２は公知の機構のものを採用できる。
図６に示されるように、紙幣挿入口６１側と紙幣排出口６５側との間に亘って２列の無端ベルト６８ａ、６８ｂが配設されている。無端ベルト６８ａは４個のプーリ６９ａ〜６９ｄに亘って掛け渡されている（図５、図６）。プーリ６９ａが駆動プーリに形成されている。
また、無端ベルト６８ｂは３個のプーリ７０ａ〜７０ｃに亘って掛け渡されている。プーリ７０ａが駆動プーリに形成されている（図７）。
両駆動プーリ６９ａ、７０ａは共通の駆動軸７１に固定され、駆動モータ７２から、ギア７３、７４を介して駆動力が伝達されるようになっている。
【００１４】
各プーリには、無端ベルトを介して適宜付勢部材（図示せず）により押圧ローラ７５が押圧され、プーリとの間で紙幣６４を挟み込むことによって、紙幣６４を搬送するようになっている。
紙幣挿入口６１の近くには入口センサ７６が配設され、また、紙幣排出口６５の近くには出口センサ（図示せず）が配設されている。また、紙幣搬送路の中途部には、磁気式の紙幣識別センサ７８が配設されている。
【００１５】
紙幣挿入口６１に紙幣６４が挿入されたことが入口センサ７６によって検知されると、制御部５６により駆動モータ７２が駆動されるよう制御され、駆動プーリ６９ａ、７０ａが回転されることにより紙幣６４が搬送される。紙幣搬送途中で、紙幣識別センサ７８により紙幣６４の真贋、紙幣６４の種類等が識別され、真正紙幣の場合には紙幣６４が紙幣排出口６５に送られ、回収部（図示せず）に回収される。また、カードリーダライタ５８により、挿入されているカードに金額が書き込まれる。真正な紙幣でない場合や紙幣の種類が異なる場合には、駆動モータ７２が逆回転され、紙幣６４が紙幣挿入口６１に送り戻される。なお、この紙幣識別装置５２の機能は公知であるので、さらなる説明は省略する。また、紙幣識別装置５２は上記のものに限定されるものではない。
【００１６】
続いて、球体計数装置１０について説明する。
図９は球体計数装置１０の一部破断側面説明図である。
図９において、１２は通路であり、べース１４に上下方向を向けて固定してある。通路１２は、上部の挿入口１５から挿入されたパチンコ玉１６を連続して重力により自然落下させるものであり、パイプ状をなしている。
【００１７】
また通路１２は、挿入口１５から、鉛直に降りた後（垂直路１７）、図９上、左斜め下方に向けて曲折する屈曲路１８に形成され、さらに鉛直に降りた後（垂直路１９）、屈曲路１８とは逆に、右斜め下方に向けて曲折する進入路２０に形成され、さらにほぼ鉛直に降りた後（連通路２１）、左斜め下方に伸びる放出路２２に形成され、さらにパチンコ台（図示せず）の受け皿（図示せず）へとパチンコ玉１６を落下させる垂直路２３に形成されている。
【００１８】
垂直路１７を落下するパチンコ玉１６は屈曲路１８の内壁（下壁）にぶつかって速度を減じられ、次いで垂直路１９の内壁（対向壁）にぶつかって速度を減じられ、さらに進入路２０の内壁（下壁）にぶつかって速度を減じられる。
進入路２０の長さは特に限定されるものではないが、パチンコ玉１６が１〜３個程度存在する長さ程度でよい。また、屈曲路１８は必ずしも設けなくともよい。
【００１９】
次に、２５は分離ホイールであり、べース１４に回転軸２６を中心に回転自在に設けられている。
分離ホイール２５は、外周に、突出部２７、およびパチンコ玉１６を１つづつ受け入れる凹部２８が交互に複数形成されたスプロケット状をなしている。本実施の形態では、突出部２７および凹部２８が１０個設けられているがこれに限定されるものではない。分離ホイール２５は、軽量の耐摩耗性、耐衝撃性を備えた、ポリアセタール樹脂、ポリカーボネート樹脂等で形成されているが、その他の材質や金属製としてもよい。
そして、分離ホイール２５はその外周の一部が、通路１２に設けられたスリット２９から進入路２０と連通路２１との境界部付近の通路１２内に進入するように設けられている。
【００２０】
前記進入路２０は、分離ホイール２５の直前で、分離ホイール２５に向けて斜め下方に伸びている。具体的には、進入路２０は、凹部２８にパチンコ玉１６を送り込むにあたり、パチンコ玉１６の重心の軌跡Ｐが、該軌跡Ｐと平行な分離ホイール２５の下側の接線Ｑよりも上方（分離ホイール２５の回転軸２６側）となり、かつパチンコ玉１６の重力により分離ホイール２５をパチンコ玉１６から見て下方（図９において反時計回転方向）に向けて回転させる方向を向くようにする。凹部２８に受け入れられたパチンコ玉１６は、分離ホイール２５が回転することによって進入路２０から連通路２１に回り込み、さらに放出路２２に向けて放出され、垂直路２３からパチンコ台の受け皿内に供給される。なお、接線Ｑとは、パチンコ玉１６が凹部２８内に、凹部２８の底部に当接した状態で受け入れられた状態における、パチンコ玉１６の重心を含む円の接線と定義する。
【００２１】
凹部２８に受け入れられたパチンコ玉１６の重力により分離ホイール２５が下方に向けて回転される（図９上では反時計回転方向）ためには、進入路２０の分離ホイール２５に向く方向（進入路２０に位置する２個のパチンコ玉１６の重心を結ぶ線Ｐの延長線方向）が、分離ホイール２５の回転軸２６の軸心に一致する方向を向くか、あるいは回転軸２６よりも下方を通るように、進入路２０の角度（進入角）を設定する必要がある。線Ｐの延長線が回転軸２６よりも上を通るように進入路２０の方向を設定するのは、分離ホイール２５の外周部付近でパチンコ玉１６同士がブリッジしてしまって分離ホイール２５が回転されないか、あるいは図９上時計回転方向に回転する力を受けることになり、パチンコ玉１６が通路１２を落下しなくなるので禁物である。
【００２２】
本実施の形態では、上記のように、進入路２０自体が垂直路には形成されず、水平に対して斜め下方に傾斜するように設けられているので、垂直路１７を落下するパチンコ玉１６の落下速度が減じられる。しかも、進入路２０は、分離ホイール２５の下側の接線Ｑよりも上方となる方向から分離ホイール２５に向けて斜め下方に伸びているので、進入路２０から凹部２８に供給されるパチンコ玉１６は凹部２８の底部にぶつかって受けられ、これによっても落下速度が減じられる。換言すれば、パチンコ玉１６が分離ホイール２５に進入した際、パチンコ玉１６から分離ホイール２５に対して、分離ホイール２５の回転中心に向く分力が生じる。このように、パチンコ玉１６はその落下速度が減じられるので、分離ホイール２５に対する衝撃が和らげられる。また、分離ホイール２５の回転力がそれだけ減じられるので、分離ホイール２５がパチンコ玉の落下衝撃や通路に待機する複数のパチンコ玉の重量や落下衝撃により何らかの拍子に強制回転（空転）されるようなことがなく、誤計数をなくすことができる。
【００２３】
上記のように、パチンコ玉１６の落下速度を減じること、およびその一方で、分離ホイール２５を下方に回転させるのに必要な、パチンコ玉１６の重力の分力を得るために、進入路２０の水平面に対する傾斜角（進入角）は５〜４５°(進入角を正確に設定が可能な場合は２〜４５°)程度が好ましくさらに好適には１５〜４０°である。進入路２０の傾斜角（進入角）を５〜４５°程度に設定することによって、進入路２０から供給されるパチンコ玉１６から分離ホイール２５に加わる回転力は、パチンコ玉１６が連続して流れ、後続するパチンコ玉１６からの影響があったとしても、せいぜいパチンコ玉１６の１個程度（最大でも２個程度の総和）の重量と考えられる。このことにより、玉通路上部で待機するパチンコ玉がなくなり、玉通路が空になった状態で、１個とか数個が落下してきた場合等でも、落下による衝撃力による影響がほとんどないので、パチンコ玉１６の供給量設定を、１個からの正確な計数が可能となる。
【００２４】
また、進入路２０の傾斜角（進入角）を２〜４５°の範囲で調節することにより、パチンコ玉１６が凹部２８に向かう速度が変化するので、計数速度の調節ができる。
さらに、進入路２０の傾斜角（進入角）とともに進入路２０の長さ(凹部２８までの距離)を調節して計数速度の調節を行うことができる。したがって、進入路の長さにおいては、本実施形態に限定されず、適宜調節できる。
なお、前記傾斜角（進入角)の上限を４５°としているが、これに限られず、例えば６０°またはそれ以上としてもよい。４５°としている理由は、パチンコ玉１個ごとの計数間隔が安定した計数速度が得られる範囲であり、計数時間や前記安定性を無視するなら、またはパチンコ玉とは異なる球体に対応して、球体を分離するために分離ホイールの回転力が得られる限りその角度に制限はない。
【００２５】
また上記のように、パチンコ玉１６からの分離ホイール２５を回転させる力は小さなものとなるので、分離ホイール２５の貫性力は小さなものとなり、分離ホイール２５の空転を防止できる。例えば、進入路２０内にパチンコ玉１６が無くなった場合でも、分離ホイール２５は、回転軸２６における摩擦抵抗や、後記する揺動部材からの抵抗によって回転を停止するのであり、貫性力によって空転してしまうようなことがなく、誤計数が防止される。なお、回転軸２６における摩擦抵抗を所定のものとするために、軸受け部に曲げワッシャなどを介在させたり、揺動部材３６のウェイト３９の位置や重量を変化させたり、バネなどの付勢部材の付勢力を変化させるようにしてもよい。
【００２６】
放出路２２は、垂直路に形成してもよいものであるが、前記のように左斜め下方に傾斜させるようにすると、パチンコ玉１６が傾斜壁を伝って落下するので、多少とも、後続するパチンコ玉列の流れに影響を与え、これによってもパチンコ玉１６の落下速度を減じることができるといえる。放出路２２の傾斜角を調整して、パチンコ玉列の落下速度を調節するようにしてもよい。さらに、進入路２０および進入路２０の傾斜角（進入角）等の調節と併用して落下速度を調節するようにしても良い。
【００２７】
次に、図９において、３０は、分離ホイール２５と同軸に設けられた係止部であり、分離ホイール２５と一体回転するようになっている。係止部３０の周面には、分離ホイール２５の各凹部２８と対応する位置に凹部３１が設けられている。
３２は係止部材で、電磁ソレノイド（駆動部）３３によって駆動され、常時は駆動部３３に内蔵されたスプリング等の付勢部材によって突出され、分離ホイール２５の凹部２８に係合して、分離ホイール２５の回転を阻止している。
【００２８】
電磁ソレノイド３３は、制御部５６によって制御され、通電されることによって係止部材３２を付勢部材の付勢力に抗して引き込み、係止部材３２の分離ホイール２５への係止を解除し、これにより分離ホイール２５が回転可能となる。
なお、駆動部３３は電磁力によって係止部材３２を駆動できるものであればよい。電磁ソレノイドであれば、プランジャ型ソレノイド、可動鉄片型ソレノイド等で、更には、自己保持型ソレノイド等を用いることができる。
【００２９】
次に、検知部３５について説明する。
３６は揺動部材であり、回転軸３７を中心に揺動可能になっている。
揺動部材３６は、所定間隔をおいて設けられた２つの接触子３８、３８を有し、この接触子３８、３８は、分離ホイール２５の凹部２８の突出部２７に至る凹面に接触可能となっている。回転軸３７に対して接触子３８とは反対側となる揺動部材３６の部位に、図９において揺動部材３６を時計回転方向に付勢する錘３９が取り付けられている。
【００３０】
図９の静止状態において、左側の接触子３８が凹部２８の底部に向かって入り込む位置にある。
分離ホイール２５が回転を始めると、左側の接触子３８が突出部２７の壁面によって外側方向に押圧され、揺動部材３６は反時計回転方向に回動される。左側の接触子３８が１つの突出部２７を乗り越えるとともに右側の接触子３８は左側の接触子３８が入り込んでいた凹部２８とは異なる位置の凹部２８に入り込む(図９では、交互に複数形成された凹部２８で、左側の接触子３８が入り込んでいた凹部２８から見て半時計方向に１つ飛ばした凹部２８)、つづいて、揺動部材３６は右側の接触子３８が入り込んだ凹部２８の突出部２７の壁面によって外側方向に押圧されるとともに、錘３９に付勢されて時計回転方向に回動され、図９の状態に戻る。つまり、揺動部材３６は、分離ホイール２５が３６°回転してパチンコ玉１６を１個放出する毎に、１往復する揺動を行う。このように揺動部材３６が正確に揺動を行う構造は、機械式時計におけるエスケープメント機構の原理を応用したものである。
【００３１】
揺動部材３６の錘３９よりも先方側には検知板４０が設けられ揺動部材３６と共に揺動するようになっている。この検知板４０の揺動経路上には、透過型センサ４１が設けられていて、揺動部材３６の揺動を検出できるようになっている。揺動部材３６、センサ４１、制御部等によって計数部を構成する。
【００３２】
本実施の形態は上記のように構成されている。
制御部５６には、パチンコ玉１６の払い出し数が、入力もしくは設定される。紙幣６４が紙幣識別部５２に挿入されて払出信号が制御部５６に入力されると、制御部５６は電磁ソレノイド３３に通電するよう指令し、これにより電磁ソレノイド３３が駆動され、係止部材３２が付勢部材の付勢力に抗して引き込まれ、分離ホイール２５の係止状態が解除され、分離ホイール２５が、パチンコ玉１６の重力によって回転を開始され、パチンコ玉１６が放出路２２を経て下方に放出される。
【００３３】
センサ４１によって揺動部材３６の揺動が検出され、この検出信号（センサ４１のＯＮ、ＯＦＦ信号）が制御部５６に入力され、制御部５６では揺動部材３６の揺動回数、したがって、パチンコ玉１６の放出個数を計数する。パチンコ玉１６の放出個数が所定数に達したら、制御部５６は電磁ソレノイド３３の駆動を停止するよう指令し、電磁ソレノイド３３が停止されると係止部材３２は付勢部材の付勢力により、係止部３０の凹部３１に係止部材３２が入り込む方向に作用して、分離ホイール２５の回転を係止するので、一連のパチンコ玉１６の払い出しが終了する。
【００３４】
本実施の形態では、前記したように、進入路２０を水平に対して斜め下方に傾斜するように設けている。具体的には、進入路２０を、凹部２８にパチンコ玉１６を送り込むにあたり、パチンコ玉１６の重心の軌跡Ｐが、該軌跡Ｐと平行な分離ホイール２５の下側の接線Ｑよりも上方となり、かつパチンコ玉１６の重力により分離ホイール２５を下方に向けて回転させる方向を向くようにしたので、パチンコ玉１６はその落下速度が減じられ、分離ホイール２５への衝撃が緩和されるのでパチンコ玉１６の誤計数をなくすことができることは前記した通りである。
また、本実施形態では、通路１２の進入路２０と連通路２１との境界部付近の通路１２内に設けられたスリット２９へ、分離ホイール２５の突出部２７が進入するにあたり、凹部２８の底面が連通路２１の壁面より突出しないようにすることもできる。そのことにより、進入路２０を通り凹部２８に達するパチンコ玉１６の衝突を、連通路２１の壁面で受け止め、分離ホイール２５への衝撃をさらに緩和することができる。
【００３５】
なお、本実施の形態では、分離ホイール２５と係止部（分離ホイールに関連する部材）３０とを別に設けたが、図１０に示すように、分離ホイール２５の凹部２８に係止部材３２が進入しうる小凹部を設けるようにすれば、分離ホイール２５によって係止部３０を兼ねるようにすることもできる。
また、計数部３５における、揺動部材の形状や検知部の位置および形状または検知手段については、同様の効果が得られるものであれば、これに限定されるものではない。
また、通路１２の、分離ホイール２５よりも上流側に通過するパチンコ玉の有無を検知もしくは計数する検知センサ（図示せず）を設けるようにしてもよい。
また、放出路２２に、通過するパチンコ玉を検知もしくは計数する検知センサを設けてもよい。
【００３６】
本実施の形態における重力式の球体計数部１０は、前述したような、連なってほぼ垂直に落下してくるパチンコ玉の重量や衝撃をほとんど解消することにより、球体計数部１０の機構を構成する部品の薄型化が実現し、また、分離ホイール２５駆動用にモータ等を用いていないので、主要機構部の厚さをほぼパチンコ玉の外径（約１１ｍｍ）と同じ範囲に収めることが可能となり、従来の紙幣識別装置の厚さの半分以下〜３分の１近い厚さになった。
【００３７】
このことにより、紙幣識別部５２を、その紙幣搬送機構が球体計数部１０の分離ホイール２５上に、分離ホイール２５の回転面と平行状態で重なるように配置することができ、紙幣識別装置５０の小型化が図れるようになった。すなわち、従来であると、分離ホイールは紙幣搬送機構とは重ならない位置に配置しなければならなかったが、両者を重なるように配置できることで、図１に示すように、紙幣識別装置５０の筐体５１内に余裕領域（空きスペース）ができ、この空きスペースに他の部材を配置することができたり、空きスペースを無くすことで小型化が図れたりする。
【００３８】
しかしながら、球体計数部１０を上記のように単なる重力式のものとした場合、万が一球体計数部１０における電磁ソレノイド３３等に故障が生じた場合、分離ホイール２５にブレーキがかからず、パチンコ玉がたれ流し状態となってしまうおそれがある。そこで、本実施の形態ではこのような緊急の場合にパチンコ玉のたれ流し状態が生じないように緊急停止部５４を設けた。
【００３９】
なお、そのために、異常検知センサ（パチンコ玉検知センサ：図示せず）を設ける必要がある。
すなわち、制御部５６が、球体計数部１０において所定数のパチンコ玉を計数して放出し、分離ホイール２５の停止指令（電磁ソレノイド３３のＯＦＦ信号）を出したにもかかわらず、パチンコ玉たれ流し状態が生じた場合にこのパチンコ玉の異常な流下状態を検出する異常検知センサを設ける必要がある。
この異常検知センサは、球体計数部１０における前記した検知センサを用いてもよいが、この検知センサとは別に、分離ホイール２５より下流側の通路１２に、パチンコ玉の流下状態のみを検知する異常検知センサを設けるのがよい。
パチンコ玉のたれ流し状態の検出は、球体計数部１０における検知センサと異常検知センサのいずれか一方もしくは両方を参照して行うことができる。
あるいは、異常検知センサは、分離ホイール２５の異常回転を検出するセンサであってもよい。
【００４０】
次に、緊急停止部５４について説明する。
図１１は緊急停止部５４の一例を示す説明図である。図１２は、緊急停止部５４を設けた紙幣識別装置５０の側面図であるが、部材が重なり合っているので、部材の一部は省略している（図７は、緊急停止部５４を省略した図である）。
図１１において、８０は緊急停止部材であり、紙幣識別部５２における前記駆動軸７１上の、両駆動プーリ６９ａと７０ａとの間に移動自在、かつ駆動軸７１を中心に回動自在に設けられている。緊急停止部材８０は、筒状部８１と、筒状部８１から側方に延出する作用部８２とを有し、筒状部８１を駆動軸７１が貫通している。筒状部８１の一方の端面と一方の駆動プーリ７０ａの端面との間にコイルスプリング（付勢部材）８３が弾装され、緊急停止部材８０を他方の駆動プーリ６９ａの方向に付勢し、筒状部８１の端面を駆動プーリ６９ａの端面に圧接するようにしている。
【００４１】
前記のように、紙幣識別部５２の紙幣搬送機構は、球体計数部１０の分離ホイール２５に重なるように配置されていて、緊急停止部材８０は分離ホイール２５に近接している。そして、分離ホイール２５方向（図１１のＡ方向）に回動したとき、その作用部８２が分離ホイール２５の表面に設けたリブ（係止部）８５に係止し、分離ホイール２５の回転を停止可能となっている。
【００４２】
本実施の形態は上記のように構成されている。
緊急停止部材８０は、紙幣識別部５２での紙幣識別時、すなわち、駆動モータ７２により駆動プーリ６９ａ、７０ａが紙幣を紙幣挿入口６１から紙幣排出口６５へ搬送する正方向（図１１のＸ方向）に回転するとき、駆動プーリ６９ａの端面との間の摩擦力により、図１１におけるＢ方向に回動し、作用部８２は筐体５１の内壁面等に当接し、この所定の退避位置で駆動プーリ６９ａに対して空転する。したがって、作用部８２は分離ホイール２５の回転を妨げることはなく、以後の計数動作が支障なく行える。
【００４３】
一方、上記異常検知センサ等によってパチンコ玉１６の異常流下状態が検知された場合には、制御部５６によって駆動モータ７２が逆方向に回転するように指令が出される。これにより、駆動プーリ６９ａがＹ方向に回転され、これにより緊急停止部材８０がＡ方向に回動され、作用部８２が分離ホイール２５方向に回動されてリブ８５に係止することから、分離ホイール２５の回転が阻止され、パチンコ玉１６の異常流下が阻止されることになる。この異常状態が発生した場合に制御部５６から異常信号が発せられ、警報ランプ（図示せず）を点灯させたり、ブザーを鳴らして警告をすることによって係員に知らせるようになっている。
【００４４】
なお、紙幣識別部５２において、真正な紙幣６４でないと判定されたり、紙幣６４の種類が相違すると判定された場合にも駆動モータ７２が逆方向に回転され、紙幣６４を返却するようになっている。この場合においても、作用部８２が分離ホイール２５のリブ８５に係止し、分離ホイール２５の回転を阻止することになるが、プログラム上、紙幣識別動作がなされているときは、そもそも計数動作を行わないように設定されているので、何ら問題は生じない。
【００４５】
図１３〜図１５は、作用部８２の緊急動作確認のための機構の例を示す。
筐体５１の所定箇所に確認窓８６と、リセット孔８７が設けられている。確認窓８６に対応する緊急停止部材８０の部位には指標８８が設けられている。図１３や図１４に示すように、緊急動作時、作用部８２が回動して分離ホイール２５に係止して分離ホイール２５の回転を阻止している状態のとき、外部から、指標８８が確認窓８６から視認できるようになっている。これによっても、異常状態が発生していることが外部からわかり、対応をとれるようになっている。一方、正常状態のときは、図１５に示すように、指標８８が確認窓８６から見えない位置にある。
【００４６】
異常状態から復帰する際には、制御部５６により、駆動モータ７２の正回転動作を行う。紙幣６４が紙幣識別部５２に受け入れられず、駆動モータ７２を逆回転させて紙幣６４を紙幣挿入口６１に送り戻し、紙幣６４が紙幣挿入口６１から取り出されたのが確認されたときも同様である。この駆動モータ７２を若干正回転させた状態のときが待機状態となる。
【００４７】
なお、駆動モータ７２を正回転させた場合にも、作用部８２がリブ８５に強く係止していて、緊急停止部材８０が待機位置に戻らない状態が考えられる。その際は、確認窓８６が指標８８が確認される状態にあるから、リセット孔８７からリセット用治具８９を差し込み、作用部８２とは逆方向に延出しているレバー９０を押して、緊急停止部材８０を強制回動させ、作用部８２をリブ８５から外すようにするとよい。
【００４８】
上記実施の形態では、紙幣識別部５２における無端ベルト６８が２本の場合を例として説明したが、１本の場合であってもよい。この場合は、コイルスプリング８３は、駆動軸７１上に設けた適宜な支持部（図示せず）と緊急停止部材８０との間に弾装し、緊急停止部材８０を駆動プーリ６９ａに押し付けるようにするとよい。
また、付勢部材はコイルスプリング８３に限定されるものではなく、板ばね、ゴム材等の適宜な弾性部材を用いることができる。
【００４９】
図１６は、分離ホイール２５の表面に設けた係止部８５の種々の例を示す。図１６（ａ）は、複数の凹部を形成してリブ状の係止部８５としている。図１６（ｂ）は、複数の貫通孔を形成してリブ状の係止部８５としている。図１６（ｃ）は、長穴等の凹部の壁面を係止部８５とした例を示す。図１６（ｄ）は、複数の凸部を設けて係止部８５としている。凸部の形状は問わない。
【００５０】
また、緊急停止部材８０は、分離ホイール２５に設けた係止部８５に直接作用させるのでなくてもよい。
図１７は、緊急停止部材８０の作用部８２を検知部３５における接触子３８の外側に係止させて分離ホイール２５の回転を阻止するようにした例を示す。
あるいは、作用部８２を、分離ホイール２５の外周の凹部２８内に進入させて、突出部２７に係止させるようにしてもよい。
図１８は、緊急停止部材８０の作用部８２を検知部３５における揺動部材３６に係止させて分離ホイール２５の回転を阻止するようにした例を示す。
【００５１】
また、図１９、図２０に示す例では、緊急停止部材８０の作用部８２を、分離ホイール２５より下流側の通路１２内に、通路１２に設けたスリット９２から出入できるようにし、作用部８２が通路１２内に進入することによって、パチンコ玉１６の異常流下を阻止するようにしている。この場合、コイルスプリング８３をギア７４のボス部と緊急停止部材８０との間に弾装し、緊急停止部材８０を駆動プーリ７０ａに押し付けて、緊急停止部材８０を回動させるようにしている。
【００５２】
図２１は緊急停止部材８０のさらに他の実施の形態を示す。
本実施の形態では、緊急停止部材８０を、回動軸９３、回動軸９３から延びる揺動アーム９４、揺動アーム９４に軸着されたリンク（作用部）９５により構成し、リンク９５をガイド部材９６に設けたガイド孔９７に挿通することによって、回動軸９３の回動運動をリンク９５の往復直線運動に変換するようにしている。
リンク９５の先端を、分離ホイール２５のリブ８５に係止させたり、突出部２７に係止させることによって、分離ホイール２５の回転を阻止し、パチンコ玉１６の異常流下を防止するようにしている。
回動軸９３の回動は、別途駆動モータ（図示せず）等によって行ってもよい。
【００５３】
図２２は緊急停止部材８０のまたさらに他の実施の形態を示す。
本実施の形態では、作用部８２の先端側に軸９８により回動自在に連繋したピン９９を、ガイド部材に設けたガイド孔９７に挿通してガイドすることによって、作用部８２の回動運動をピン９９の往復直線運動に変換している。ピン９９の先端部を、分離ホイール２５より下流側の通路１２内にスリット１００を介して出入させることによって、パチンコ玉１６の異常流下を防止できる。緊急停止部材８０の回動は、前記実施の形態と同様に、駆動プーリ７０ａとの間の摩擦力によって行ってことができる。
【００５４】
図２３は緊急停止部材８０のさらにまた他の実施の形態を示す。
本実施の形態では、ピン１０１を、分離ホイール２５より下流側の通路１２内にスリット１００を介して手動により出入させることによって、パチンコ玉１６の異常流下を防止できる。ピン１０１は、常時は通路１２の外側に設けた保持具１０２に、先端部が通路１２内に突出しない位置に保持されている。すなわち、ピン１０１の外周には、２か所に溝が形成され、この溝に、保持具１０２内に、ばね１０３によってピン保持孔１０４内に突出するように付勢されたボール１０５が入り込むことによって、ピン１０１は、先端が通路１２内に突出する位置と突出しない位置との２位置に保持されるようになっている。
【００５５】
図２４は緊急停止部材８０のさらに他の実施の形態を示す。
本実施の形態でも、ピン１０１を、分離ホイール２５より下流側の通路１２内にスリット１００を介して手動により出入させることによって、パチンコ玉１６の異常流下を防止できるようになっている。ピン１０１は、ピン１０１に設けた凸部１０６と保持具１０２に設けた凸部１０７とにトグルばね１０８を掛け渡すことによって、ピン１０１は、やはり先端が通路１２内に突出する位置と突出しない位置との２位置に保持されるようになっている。
【００５６】
なお、制御部５６は、球体計数部１０および紙幣識別部５２の両者を制御する制御部であってもよいし、それぞれ個別に制御部を設けてもよいし、あるいは、紙幣識別装置５０内には配置せず、遊技機全体を制御する制御部に組み込んでもよい。
【００５７】
また、本明細書では、緊急停止部を有さず、紙幣識別部とパチンコ玉を計数する球体計数部とを一体に組み込んだ紙幣識別装置も独立した発明として認識している（将来分割出願することを意図している）。
【００５８】
すなわち、
（付記１）
筐体内に、紙幣識別部と、パチンコ玉を計数する球体計数部と、制御部とを具備する紙幣識別装置であって、
前記紙幣識別部は、
紙幣挿入口に挿入された紙幣を紙幣排出口に向かって搬送する搬送機構と、該搬送機構により搬送される紙幣の真贋を識別するセンサ部を備えた識別部とを具備し、
前記球体計数部は、
パチンコ玉を連続して重力により自然落下させる通路と、外周に、突出部、およびパチンコ玉を１つずつ受け入れる凹部が交互に複数形成され、回転軸を中心に回転することにより前記凹部が順次通路内に臨み、通路から供給されるパチンコ玉を順次受け入れて放出路に放出する分離ホイールと、該放出路に放出されるパチンコ玉数を算出する計数部と、前記分離ホイールもしくは分離ホイールに関連する部材に係止し、分離ホイールの回転を停止させる係止部材と、該係止部材を駆動して、前記分離ホイールの回転を停止もしくは回転可能とする駆動部と、前記計数部により所定数のパチンコ玉が計数されたら前記係止部材により前記分離ホイールの回転を停止するように前記駆動部を制御する前記制御部とを具備する球体計数装置を内蔵した紙幣識別装置。
（付記２）
前記紙幣識別部は、その紙幣搬送機構が前記球体計数部の前記分離ホイール上に、分離ホイールの回転面と平行状態で重なるように配置されていることを特徴とする付記１記載の球体計数装置を内蔵した紙幣識別装置。
（付記３）
前記通路は、
前記分離ホイールの直前で分離ホイールに向けて斜め下方に曲折され、前記凹部に球体を送り込むにあたり、球体の重心の軌跡が、該軌跡と平行な分離ホイールの下側の接線よりも上方となり、かつ球体の重力により前記分離ホイールを下方に向けて回転させる方向を向く進入路と、
該進入路から前記分離ホイールの凹部に送り込まれた球体を分離ホイールが回転することにより進入路から前記放出路に向けて通過させる連通路とを具備することを特徴とする付記１記載の球体計数装置を内蔵した紙幣識別装置。
（付記４）
前記進入路を移動する球体の重心の軌跡が、前記分離ホイールの回転軸の軸心に一致する方向を向くか、もしくは回転軸の下方を通るように、前記進入路の前記分離ホイールに向く方向が設定されていることを特徴とする付記３記載の球体計数装置を内蔵した紙幣識別装置。
（付記５）
前記進入路の水平面からの傾斜角度が５〜４５°であることを特徴とする付記３または４記載の球体計数装置を内蔵した紙幣識別装置。
（付記６）
前記通路は、前記進入路の直近上流側に、進入路とは逆方向の斜め下方に曲折する屈曲路を有することを特徴とする付記３〜５いずれか１項記載の球体計数装置を内蔵した紙幣識別装置。
等が、本明細書中に独立した発明して記載されている。
【符号の説明】
【００５９】
１０  球体計数装置
１２  通路
１４  ベース
１５  挿入口
１６  パチンコ玉
１７  垂直路
１８  屈曲路
１９  垂直路
２０  進入路
２１  連通路
２２  放出路
２３  垂直路
２５  分離ホイール
２６  回転軸
２７  突出部
２８  凹部
２９  スリット
３０  係止部
３１  凹部
３２  係止部材
３３  電磁ソレノイド（駆動部）
３５  検知部
３６  揺動部材
３７  回転軸
３８  接触子
５０  紙幣識別装置
５１  筐体
５２  紙幣識別部
５６  制御部
５８  カードリーダライタ
６０  カード収納部
６１  紙幣挿入口
６４  紙幣
６５  紙幣排出口
６８  無端ベルト
６９、７０  プーリ
６９ａ、７０ａ  駆動プーリ
７１  駆動軸
７２  駆動モータ
７５  押圧ローラ
７６  入口センサ
８０  緊急停止部材
８１  筒状部
８２  作用部
８３  コイルスプリング
８５  係止部
８６  確認窓
８７  リセット孔
８８  指標
８９  リセット用治具
９０  レバー
９２  スリット
９３  回動軸
９４  揺動アーム
９５  リンク
９６  ガイド部材
９７  ガイド孔
９８  軸
９９  ピン
１００  スリット
１０１  ピン
１０２  保持具
１０３  ばね
１０４  ピン保持孔
１０５  ボール
１０６、１０７  凸部
１０８  トグルばね
【図１】
2011212400.tif 000003
【図２】
2011212400.tif 000004
【図３】
2011212400.tif 000005
【図４】
2011212400.tif 000006
【図５】
2011212400.tif 000007
【図６】
2011212400.tif 000008
【図７】
2011212400.tif 000009
【図８】
2011212400.tif 000010
【図９】
2011212400.tif 000011
【図１０】
2011212400.tif 000012
【図１２】
2011212400.tif 000013
【図１３】
2011212400.tif 000014
【図１４】
2011212400.tif 000015
【図１５】
2011212400.tif 000016
【図１６】
2011212400.tif 000017
【図１７】
2011212400.tif 000018
【図１８】
2011212400.tif 000019
【図１９】
2011212400.tif 000020
【図２０】
2011212400.tif 000021
【図２１】
2011212400.tif 000022
【図２２】
2011212400.tif 000023
【図２３】
2011212400.tif 000024
【図２４】
2011212400.tif 000025
【図１１】
2011212400.tif 000026